(57)【特許請求の範囲】
【請求項１】
本体の表面に設けられた表示部と、
前記表示部に設けられた第１タッチセンサと、
前記本体の両側面に設けられた凹部と、
前記両側面に設けられ、前記凹部を含む範囲に設けられた第２タッチセンサと、
前記両側面に設けられた前記第２タッチセンサにより、ホールドする指の位置を検出して右利き又は左利きかを判断する判断部と、
前記両側面に設けられた複数の前記第２タッチセンサのうち、前記判断部が判断した利き手でホールドする指が掛からない前記凹部に対応する前記第２タッチセンサの検出を無効にする無効化部と、
を備えている電子機器。
【請求項２】
本体の表面に設けられた表示部と、
前記表示部に設けられた第１タッチセンサと、
前記本体の両側面に設けられた凹部と、
前記両側面に設けられ、前記凹部を含む範囲に設けられた第２タッチセンサと、
前記両側面に設けられた前記第２タッチセンサにより、ホールドする指の位置及び数を検出して右利き又は左利きかを判断する判断部と、
前記両側面に設けられた複数の前記第２タッチセンサのうち、前記判断部が判断した利き手でホールドする指が掛からない前記凹部に対応する前記第２タッチセンサの検出を無効にする無効化部と、
を備えている電子機器。
【請求項３】
前記凹部は、前記本体の一側面に複数設けられており、
前記第２タッチセンサは、前記複数の凹部を含む範囲に設けられている請求項１または２に記載の電子機器。
【請求項４】
前記凹部は、前記本体をホールドする指が接する位置に設けられている請求項３に記載の電子機器。
【請求項５】
前記凹部は、前記両側面に対して非対称の位置に設けられている請求項１ないし４のいずれか一項に記載の電子機器。
【請求項６】
背面に前記凹部を設け、前記背面に設けた前記凹部に第３タッチセンサを設けた請求項１ないし５のいずれか一項に記載の電子機器。
【請求項７】
前記第１タッチセンサと前記第２タッチセンサとは、可撓性を有する一枚の導電シートにより形成されている請求項１ないし６のいずれか一項に記載の電子機器。
【請求項８】
前記第１タッチセンサ及び前記第２タッチセンサに加えて前記第３タッチセンサも、前記一枚の導電シートにより形成されている請求項６を引用する請求項７に記載の電子機器。
【請求項９】
前記導電シートは、熱処理により前記表面及び側面の形状に形成された後に前記本体に取り付けられる請求項７又は８に記載の電子機器。
【発明の詳細な説明】
【技術分野】
【０００１】
本発明は、タッチセンサを有する電子機器に関する。
【背景技術】
【０００２】
近年、ユーザインターフェース(User Interface)として表示画面にタッチパネルを設けた携帯型の電子機器が増えている。このような電子機器のタッチパネルは、画面をタッチするだけで直感的にその電子機器を操作することができるので極めて便利である。また、操作性を向上するために、タッチセンサ等の接触を検出する検出部を側面に設けた電子機器が知られている（例えば、特許文献１等）。このような電子機器では、側面の所定位置毎に所定のイベントが予め設定されており、所定位置をタッチすることで、その位置に対応するイベントが入力されて、例えばイベントに対応する表示が表示部に表示されたり、イベントに対応するコマンドが実行されたりする（例えば、特許文献２等）。
【先行技術文献】
【特許文献】
【０００３】
【特許文献１】特開２０１２−１２８６６８
【特許文献２】米国特許出願公開第２０１３／０３００６９７号明細書
【発明の概要】
【発明が解決しようとする課題】
【０００４】
携帯型の電子機器は、通勤時にカバンの中やポケットに入れて持ち歩いて、使用時に取り出すことが多い。しかし、例えば満員の電車内では取り出すことができない場合があるため、カバンやポケットに入れたままで操作できることが望まれている。しかし、前述したタッチセンサは、ボタンやスイッチ等とは違って出っ張りがない。このため、例えばメールの受信、電話の着信、音量をアップ・ダウンする操作等、所望するイベントを入力するためのタッチ位置がわかりずらいという欠点がある。
【０００５】
本発明は、見ないと操作できないタッチセンサの欠点を解消することができるように工夫したユーザインターフェースを有する電子機器を提供することを目的とする。
【課題を解決するための手段】
【０００６】
本発明の電子機器の一形態では、本体の表面に設けられた表示部と、表示部に設けられた第１タッチセンサと、本体の一側面に設けられた凹部と、凹部を含む範囲に設けられた第２タッチセンサと、を備えたものである。
【０００７】
凹部としては、操作性を向上させるために、一側面に複数設けるのが好適である。この場合、第２タッチセンサは、複数の凹部を含む範囲に設けるのが良い。また、凹部としては、本体をホールドする指が接する位置に設けるのが、ホールド性が向上して操作を簡便に行うことができるので、好適である。
【０００８】
一側面とは反対側の他側面に凹部を１個又は複数設けても良い。この場合、第２タッチセンサを両側面に設けるのが、利き手に応じた操作が行えるので、好適である。
【０００９】
ホールドする指の位置及び数を検出して右利き又は左利きかを判断する判断部と、両側面に設けられた複数の第２タッチセンサのうち、判断部が判断した利き手でホールドするときに指が掛からない凹部に対応する第２タッチセンサの検出を無効にする無効化部と、を備えるのが好適である。
【００１０】
凹部は、両側面において非対称の位置に設けるのが、例えばスマートフォンやタブレット端末の裏表を、見ないでも把握することがでるので、好適である。また、例えばサイズの大きなタブレット端末等の場合には、背面に凹部を設け、背面に設けた凹部に第３タッチセンサを設けるのが、ホールドしながら操作が行えるので好適である。
【００１１】
第１タッチセンサと第２タッチセンサとは、可撓性を有する一枚の導電シートにより形成するのが好適である。また、第１タッチセンサ及び第２タッチセンサに加えて第３タッチセンサも一枚の導電シートにより形成するのが好適である。この場合、少なくとも表示部の範囲のみ透明にすればよい。また、導電シートは、熱処理により表面及び側面の形状に形成された後に、本体に取り付けるの好適である。
【発明の効果】
【００１２】
タッチセンサを設けた凹部を側面に設けたから、見ないでも操作することができる。
【図面の簡単な説明】
【００１３】
【図１】本発明の一形態である電子機器の斜視図である。
【図２】図１に示した電子機器の左側面を拡大した要部斜視図である。
【図３】図１の電子機器の導電シートと本体とを示す分解斜視図である。
【図４】電子機器の電気的構成を示すブロック図である。
【図５】タップが行われる凹部に対応するイベントを示す説明図である。
【図６】凹部を左右対称に設けた電子機器を示す正面図である。
【図７】図６の電子機器の電気的構成を示すブロック図である。
【図８】凹部を左右非対称に設けた電子機器を示す正面図である。
【図９】図８の電子機器の導電シートと本体とを示す分解斜視図である。
【図１０】背面に凹部を設けたタブレット端末を示す斜視図である。
【発明を実施するための形態】
【００１４】
図１は、電子機器９の正面を示す。電子機器９は、図１に示すように、電話機能を有する携帯型の情報端末となっており、外装である本体１０は、矩形薄型の六面体の形状になっている。本体１０は、他の面よりも面積が広い矩形な表面１１と裏面１２、及び表面１１と裏面１２を繋ぐ４つの側面で構成されている。４つの側面は、同図に示す縦姿勢を基準にして、上面１３、下面１４、右側面１５、及び左側面１６となっている。表面１１には、矩形な表示部１７が設けられている。なお、縦姿勢は、表示部１７の長辺を垂直方向に置いて表示を見る姿勢である。
【００１５】
表示部１７には、タッチパネル１８が取り付けられている。タッチパネル１８は、タッチセンサ１９を有する。タッチセンサ１９としては、抵抗膜方式、静電容量式、及び感圧式等のいずれかの方式を利用することができる。表面１１のタッチセンサ１９は、第１タッチセンサの一例である。
【００１６】
表示部１７には、電源投入後、初期画面（ホーム画面）が表示される。ホーム画面は、パーソナルコンピューター（パソコン）でいうデスクトップ画面、携帯電話では待受け画面にあたる、操作の基本となる画面である。ホーム画面には、各種アプリケーションのアイコンが表示されており、一のアイコンをタップすることで、タップしたアイコンにリンクするアプリケーションを起動させることができる。タップは、一本の指で押す操作である。
【００１７】
表面１１には、ＴＯＰボタン２０、スピーカ２１、及びマイク２２を有する。ＴＯＰボタン２０は、ホーム画面に復帰させるボタンである。スピーカ２１は、通話相手の音声や、各種プログラムによって再生される音楽や効果音等を出力する。マイク２２は、通話時や音声による操作の受付時に音声を取得する。上面１３には、イヤホンジャック２３、電源ボタン２４等が配置されている。
【００１８】
左側面１６には、例えば４個の凹部２５ａ〜２５ｄを有する。各凹部２５ａ〜２５ｄは、例えば右手で電子機器９をホールドしたときの人差し指、中指、薬指、及び小指が置かれる位置に配置されている。なお、以下では、複数の凹部２５ａ〜２５ｄをまとめて「凹部２５」として説明する。
【００１９】
図２は、左側面１６の拡大図である。左側面１６は、図２に示すように、凸を外に向けた曲面になっており、曲面に凹部２５が設けられている。なお、凹部２５を４個設けているが、凹部２５としては、１個でもよく、また、２個、又は３個、あるいは５個以上でもよい。また、凹部２５の形状も図１に限ることはく、コ字状や円弧形状でもよい。
【００２０】
左側面１６には、複数の凹部２５を含む範囲に左側面タッチセンサ２７が取り付けられている。左側面タッチセンサ２７は、指を用いて凹部２５に対して行われる特定操作、例えばいったん指を離した後に再び触るタップ等の操作を検出する。なお、タップの代わりに、ダブルタップ等としてもよい。左側面タッチセンサ２７としては、抵抗膜方式、静電容量式、及び感圧式等のいずれかの方式のセンサを利用することができる。左側面タッチセンサ２７は、第２タッチセンサの一例である。
出部の一例である。
【００２１】
図３は、電子機器９を構成する本体１０と導電シート３１とを示す。導電シート３１は、図３に示すように、本体１０の左側面１６から表面１１に渡るサイズの一枚の透明なシートにより作られている。導電シート３１は、タッチセンサ１９，２７を有しており、導電パターンを有するフィルム基材を複数重ねて、可撓性や熱収縮性を有するように作られている。このような導電シート３１は、外面に保護シート３０を貼り付けた状態で本体１０の左側面１６、及び表面１１に渡る形状（外面の一部の形状）と同じ形状を有する型を利用して、熱処理による熱収縮により前述した外面の一部の形状に形成され、その後に、本体１０に被せるように取り付けられる。型には、凹部２５を含む外面の一部の形状が形成されており、導電シート３１には、凹部２５ａ〜２５ｄと同じ形状３２ａ〜３２ｄが転写されている。
【００２２】
なお、導電シート３１としては、１シートではなく、左側面１６用として個別に分けて設けてもよい。この場合、導電シート３１の外面に保護シート３０を貼り付けた状態で、熱収縮により左側面１６の形状に形成し、その後に左側面１６に取り付ければよい。また、４枚の導電シートを凹部２５ａ〜２５ｄ毎に使用してもよい。このように各面ごとに導電シートを別々に作る場合には、表面１１のタッチセンサ１９を透明にすればよい。
【００２３】
図４は、電子機器９の電気的構成を示す。図４に示すように、電子機器９は、表示部１７、導電シート３１、ＴＯＰボタン２０、電源ボタン２４、電源部３５、通信部３６、スピーカ２１、マイク２２、イヤホンジャック２３、記憶部３７、ＣＰＵ（Central Processing Unit）３８、及びＲＡＭ（Random Access Memory）３９を有する。
【００２４】
導電シート３１は、表面１１のタッチセンサ１９、及び左側面タッチセンサ２７を有する。タッチセンサ１９は、指を用いて行われる各種操作となる入力情報を、操作が行われた表示部１７上での位置の情報とともに検出し、検出した情報をＣＰＵ３８に通知する。タッチセンサ１９により検出される操作には、タップやスイープ等が含まれる。表示部１７は、例えば、液晶ディスプレイ（ＬＣＤ(Liquid Crystal Display)）、又は有機ＥＬ（Organic Electro Luminescence）パネル等で構成され、画像や文字等を表示する。なお、表示部１７は、情報表示部の一例である。
【００２５】
ＴＯＰボタン２０は、例えば、物理的なボタンで構成されており、押下操作に対応する信号をＣＰＵ３８へ送信する。左側面タッチセンサ２７は、特定操作である入力情報を、操作が行われた位置の情報とともに検出し、検出した情報をＣＰＵ３８に通知する。電源部３５は、電源ボタン２４のオン操作により作動して、蓄電池、又は外部電源から得られる電力を、ＣＰＵ３８を含む各部へ供給する。
【００２６】
通信部３６は、基地局との間で信号を送受信するアンテナを有し、基地局との間で電話通信、及び情報通信を行う。スピーカ２１は、ＣＰＵ３８から送られる音声信号を音声として出力する。イヤホンジャック２３は、イヤホンのプラグを差し込むための端子であり、ＣＰＵ３８から送られる音声信号を出力する。マイク２２は、利用者等の音声を音声信号へ変換して、変換された音声信号をＣＰＵ３８へ送る。
【００２７】
記憶部３７は、例えば不揮発性メモリや磁気記憶装置であり、ＣＰＵ３８での処理に利用されるプログラムやデータを保存する。記憶部３７に記憶されるプログラムとしては、メインプログラム４１、メールプログラム４２、音楽再生プログラム４３、ラジオ再生プログラム４４、及び操作制御プログラム４５を有する。また、記憶部３７に記憶されるデータは、音楽データ４７等を有する。
【００２８】
記憶部３７は、メインプログラム４１等の他に、電子機器９の基本的な機能を実現するオペレーティングシステムプログラムや通信部３６に必要なプログラムやデータも記憶する。なお、記憶部３７としては、メモリカード等の外部記憶媒体と、外部記憶媒体からデータを読み取る読取り部とを有する構成でもよい。
【００２９】
メインプログラム４１は、ＣＰＵ３８が最初に起動して、電子機器９の各部を制御するためのプログラムである。メールプログラム４２は、メールの送受信やメールを閲覧をするためのアプリケーションである。音楽再生プログラム４３は、音楽データを再生するためのプログラムである。ラジオ再生プログラム４４は、例えば音声データで番組を配信するコンテンツを通信部３６で受信し、受信したコンテンツを再生するためのプログラムである。コンテンツとしては、例えばＩＰ（Internet Protocol）サイマルラジオとしてもよい。
【００３０】
操作制御プログラム４５は、タッチセンサ１９、及び左側面タッチセンサ２７により検出される入力情報に応じたイベントをＣＰＵ３８に対して入力する。入力情報としては、指が接触する位置、接触している時間、接触する面積等の情報、例えば左側面タッチセンサ２７の場合、タップがなされた凹部２５の位置情報になっている。イベントは、プログラムごとに予め決められている特定の処理を実行させるための信号である。
【００３１】
ＣＰＵ３８は、電子機器９の動作を統括的に制御して各種の機能を実現する。具体的には、ＣＰＵ３８は、記憶部３７に記憶されているデータやＲＡＭ３９に展開したデータを必要に応じて参照しつつ、記憶部３７に記憶されているプログラムに含まれる命令を実行して、表示部１７や通信部３６等を制御することにより各種機能を実現する。なお、ＣＰＵ３８が実行するプログラムや参照するデータとしては、通信部３６による無線通信で外部のサーバ装置からダウンロードしてもよい。
【００３２】
ＣＰＵ３８は、例えばメールプログラム４２を実行することにより、メールの送受信や受信メールの閲覧、送信メールの作成等の機能等を実現する。また、ＣＰＵ３８は、例えば音楽再生プログラム４３を実行することにより、音楽データ４７を再生する機能を実現する。さらに、ＣＰＵ３８は、例えばラジオ再生プログラム４４を実行することにより、ラジオの音声データであるコンテンツを再生する機能を実現する。
【００３３】
ＣＰＵ３８は、操作制御プログラム４５等を実行することにより、タッチセンサ１９，２７により検出される各種の接触操作に応じた入力情報を特定し、特定した入力情報に対応する処理を実行する機能を実現する。なお、ＣＰＵ３８は、オペレーティングシステムプログラムによって提供されるマルチタスク機能によって、複数のプログラムを並行して実行することができる。
【００３４】
ＲＡＭ３９は、ＣＰＵ３８により実行されるプログラムの命令、ＣＰＵ３８が参照するデータ、ＣＰＵ３８の演算結果等が一時的に記憶される記憶領域として利用される。
【００３５】
図５は、各凹部２５ａ〜２５ｄに行われるタップに対して、プログラム毎に決めらているイベント処理の内容を示す。イベント処理の内容は、操作制御プログラム４５に予め登録されており、ＣＰＵ３８が操作制御プログラム４５を実行することで定義される。なお、操作制御プログラム４５へのイベント処理の登録は、使用者によりプログラム毎に変更することができるように構成してもよい。この場合、イベント処理を登録しておくデータを記憶部３７に記憶させておくの好適である。
【００３６】
ＣＰＵ３８は、ホーム画面の状態では、凹部２５ａから得られるタップの入力情報を、例えば電話機能の着信のイベントとして処理する。凹部２５ｂから得られるタップの入力情報は、例えばメール受信のイベントとしてＣＰＵ３８により処理される。凹部２５ｃから得られるタップの入力情報は、例えば音量アップのイベントとしてＣＰＵ３８により処理される。凹部２５ｄから得られるタップの入力情報は、例えば音量ダウンのイベントとしてＣＰＵ３８により処理される。
【００３７】
音楽再生プログラム４３の実行している状態では、例えば凹部２５ａから得られるタップの入力情報を、例えば次の曲を再生する自動選曲のイベントとしてＣＰＵ３８が処理する。凹部２５ｂから得られるタップの入力情報は、例えば再生停止のイベントとしてＣＰＵ３８により処理される。凹部２５ｃから得られるタップの入力情報は、例えば音量アップのイベントとしてＣＰＵ３８により処理される。凹部２５ｄから得られるタップの入力情報は、例えば音量ダウンのイベントとしてＣＰＵ３８により処理される。
【００３８】
ラジオ再生プログラム４４を実行している状態では、例えば凹部２５ａから得られるタップの入力情報を、例えば次局に移動する自動選局のイベントとしてＣＰＵ３８が処理する。凹部２５ｂから得られるタップの入力情報は、例えば再生停止のイベントとしてＣＰＵ３８により処理される。凹部２５ｃから得られるタップの入力情報は、例えば音量アップのイベントとしてＣＰＵ３８により処理される。凹部２５ｄから得られるタップの入力情報は、例えば音量ダウンのイベントとしてＣＰＵ３８により処理される。
【００３９】
以上のように、各指が凹部２５に掛かるように右手でホールドした状態で、所定の指を少し動かすだけのタップ操作により所望する処理を簡単に実行することができるため、カバンの中やポケットに入れたままで操作をすることができる。
【００４０】
なお、使用開始時には、凹部２５の位置に対応するイベント内容がわからないため、表示部１７のうちのタップした凹部２５の位置の近傍に、実行するイベント処理の内容を表すアイコンを吹き出し式に表示させるのが好適である。
【００４１】
上記実施形態では、左側面１６に凹部２５を有しているが、本発明ではこれに限らず、右側面１５に凹部を有してもよい。図６は、両側面１５，１６に凹部２５ａ〜２５ｄ，５０ａ〜５０ｄを有した電子機器５１を示す。電子機器５１は、図６に示すように、正面から見た形状が左右対称となるように、左側面１６に凹部２５を４個有し、右側面１５にも４個の凹部５０を有する。
【００４２】
右側面１５には、凹部５０を含む範囲に右側面タッチセンサ５２が取り付けられている。右側面タッチセンサ５２は、各凹部５０ａ〜５０ｄに対して操作される、例えばタップがなされる位置等の入力情報をＣＰＵ３８に入力する。ＣＰＵ３８は、右側面タッチセンサ５２により検出される入力情報に応じたイベントを処理する。イベントの処理の内容は、プログラムごとに、右側面１５の各凹部５０に対して決められている。右側面タッチセンサ５２は、第２タッチセンサの一例である。もちろん左側面１６の各凹部２５に対しても、イベントがプログラムごとに決められている。
【００４３】
図７は、ＣＰＵ３８が判断部５４と無効化部５５とを有する電子機器５３を示す。電子機器５３は、判断部５４でホールドする手（利き手）が右手か左手かを判断し、判断した手に応じて無効化部５５が特定の凹部２５，５０に対するタップの検出を無効化する。
【００４４】
電子機器５３は、図６で説明したと同様に、両側面１５，１６にそれぞれ４個ずつの凹部２５，５０を有する。図７に示すように、判断部５４は、左側面タッチセンサ２７及び右側面タッチセンサ５２からの入力情報に基づいて、凹部２５，５０に掛かる指の位置及び数を検出してホールドする手が右手か左手かを判断する。無効化部５５は、判断部５４が判断する右手又は左手に応じて、利き手でホールドするときに指が掛からない凹部２５，５０に対するタップの検出を無効にする。
【００４５】
具体的には、無効化部５５は、判断部５４が右手と判断したときには、右手の人差し指から小指までの４指が置かれる左側面１６の４個の凹部２５ａ〜２５ｄと、右手の親指が置かれる右側面１５のうちの一番上面１３寄りの凹部５０ａとに対するタップの検出をそれぞれ有効にし、右側面１５にあるうちの下面１４から３個の凹部５０ｂ〜５０ｄに対するタップの検出をそれぞれ無効化する。
【００４６】
判断部５４が左手と判断したときには、無効化部５５は、左手の人差し指から小指までの４指が置かれる右側面１５の４個の凹部５０ａ〜５０ｄと、左手の親指が置かれる左側面１６のうちの一番上面１３寄りの凹部２５ａとに対するタップの検出をそれぞれ有効にし、左側面１６にあるうちの下面１４から３個の凹部２５ｂ〜２５ｄに対するタップの検出をそれぞれ無効化する。これにより、利き手でホールドするときに、利き手の指が置かれない凹部２５，５０を不用意に触ってもインベント処理が実行されないので、不用意な操作を未然に防止することができる。なお、タップの検出を無効にする凹部としては、指を置いていない凹部２５，５０の全部でなく、一部でもよい。
【００４７】
図８は、凹部２５，５７を正面から見て左右非対称になるように配置した電子機器５８を示す。電子機器５８は、図８に示すように、右側面１５に１個の凹部５７を設け、正面から見て左右非対称の形状になっている。左右非対称の形状にすることで、使用者は、電子機器５８を見なくても、ホールドするだけで表面１１か裏面かを簡単に把握することができる。凹部５７は、右手でホールドしたときに右手親指が掛かる位置に有する。右側面１５には、凹部５７を含む範囲に右側面タッチセンサ５２が取り付けられている。もちろん、左側面１６にも凹部２５を含む範囲に左側面タッチセンサ２７が取り付けられている。
【００４８】
なお、左右非対称の形状としては、図８の電子機器５８の正面図の左右を反転した形状としてもよい。また、凹部５７に対する操作としては、右手でホールドするときに、通常は右手親指を右側面１５の凹部５７から離しておき、シフト操作を行うときに触れる（タッチする）ような操作としてもよい。つまり、左側面１６の各凹部２５に一時的に別のイベントを割り当てるように、キーボードのシフト・キーのような操作としてもよい。
【００４９】
図９は、図８の電子機器５８を構成する本体６０と導電シート５９とを示す。導電シート５９は、図９に示すように、左側面タッチセンサ２７、タッチセンサ１９、及び右側面タッチセンサ５２に渡るサイズの一枚の透明なシートにより作られている。導電シート５９は、タッチセンサ１９，２７，５２を有しており、導電パターンを有するフィルム基材を複数重ねて、可撓性や熱収縮性を有するように作られている。導電シート５９は、図３で説明したと同様に、外面に保護シート３０を貼り付けた状態で本体６０の左側面１６、表面１１、及び右側面１５に渡る形状と同じ形状（外面の一部の形状）を有する型を利用して、熱処理による熱収縮により前述した外面の一部の形状に形成され、その後に、本体６０に被せるように取り付けられる。型には、凹部２５，５７を含む本体６０の外面の一部の形状が形成されており、導電シート３１には、凹部２５，５７と同じ形状３２ａ〜３２ｄ、５７ａが転写されている。
【００５０】
なお、前述した図６の電子機器５１も、図９で説明したと同様に、右側面タッチセンサ５２を有した導電シートが使用される。この導電シートには、右側面に凹部５０の形が転写されている。
【００５１】
図１０は、電子機器として、例えばＡ４サイズの平板状をしたタブレット端末６２を示す。タブレット端末６２は、左側面６３に４個の凹部６４ａ〜６４ｄを有する。凹部６４は、ホールドした右手人差し指から小指の４指が掛かる位置に配置されている。凹部６４は、タブレット端末６２のサイズが大きいため、左側面６３のうちの上面６９寄りに配置されている。左側面６３のうちの凹部６４ａ〜６４ｄを含む範囲には、左側面タッチセンサ６５が取り付けられている。また、タブレット端末６２は、背面６６に凹部６７を有する。背面６６の凹部６７は、右手でホールドしたときに右手親指が掛かる位置に配置されている。背面６６には、凹部６７を含む範囲に背面タッチセンサ６８が取り付けられている。背面タッチセンサ６８は、第３タッチセンサの一例である。
【００５２】
背面６６の凹部６７は、左側面６３の凹部６４に割り付けたイベントとは異なるイベントが割り付けられている。なお、背面６６の凹部６７としては、左側面６３の凹部６４に一時的に別のイベントを割り付けるための、キーボードのシフト・キーのような作用をする操作部としてもよい。
【００５３】
上記各電子機器やタブレット端末では、電話機能を有する機器について説明しているが、本発明の適用対象は電話機能を有する情報端末に限定されるものではなく、各種装置、例えば、ＰＨＳ（Personal Handy-phone System）、ＰＤＡ（Personal Digital Assistan）、ポータブルナビゲーション装置、パーソナルコンピュータ、ゲーム機等に対しても本発明は適用できる。
【符号の説明】
【００５４】
９，５１，５３，５８  電子機器
１８  タッチパネル
２５，５０，５７  凹部
２７，６５  左側面タッチセンサ
３１  導電シート
５２  右側面タッチセンサ
６８  背面タッチセンサ
【図１】
0006050282.tif 000002
【図２】
0006050282.tif 000003
【図３】
0006050282.tif 000004
【図４】
0006050282.tif 000005
【図５】
0006050282.tif 000006
【図６】
0006050282.tif 000007
【図７】
0006050282.tif 000008
【図８】
0006050282.tif 000009
【図９】
0006050282.tif 000010
【図１０】
0006050282.tif 000011